(57)【要約】【課題】不要な機密書類を簡単に回収し手間なく廃棄して作業性を上げると共に、機密書類の投入から廃棄まで間、機密性を保持して機密書類のセキュリティを高める。【解決手段】ペーパーリサイクルボックスＲは、外箱ＡとカートリッジＢとカートンＣを順に入れ子式に重ねて組み入れてなる一方、カートンは、天面６９に外箱の投入口１４・１５とカートリッジの連通穴３９・４０に対応する細長い送給穴７４・７５を設け、機密書類ごとカートリッジから取り出される使い捨ての箱体で形成し、外箱の上扉ａに設ける機密書類の投入口を手が入り込まない程度に幅狭で細長く形成し、外箱には、投入口から投函される機密書類を案内通路Ｓに通して排紙口２５・２６からカートン内へ落し込むガイド手段ｇ１・ｇ２を備え、ガイド手段は、案内通路を投入口から下向きに漸次幅狭に形成して排紙口をカートン内に溜った機密書類の記録事項を視認できない程度に細くする。【選択図】          図１
2012162347.tif 000002
【特許請求の範囲】
【請求項１】
上面が背面側を支点に開閉する上扉であり正面が一方の側面側を支点に開閉する錠付き正面扉の外箱と、正面が片方の側面側を支点に開閉する錠付き前扉の箱状のカートリッジと、箱状のカートンを順に入れ子式に重ねて組み入れてなるペーパーリサイクルボックスであって、
前記外箱は、前記上扉に、手が入り込まない程度に幅狭で細長い投入口を設けると共に、該投入口から投函される機密書類を案内通路に通して先端の排紙口から前記カートン内へ落し込むガイド手段を備え、前記カートリッジは、頂面の上カバーに前記投入口と対応する細長い連通穴を設け、前記カートンは、天面に前記連通穴と対応する細長い送給穴を設け、落ち込まれる機密書類ごと前記カートリッジから取り出される使い捨ての箱体からなり、
前記ガイド手段は、前記案内通路を前記投入口から下向きに漸次幅狭に形成して前記排紙口を前記カートン内に溜った機密書類の記録事項を視認できない程度に細く形成し、前記送給穴に向けて突設してなることを特徴とする、ペーパーリサイクルボックス。
【請求項２】
前記外箱において、前記上扉は、前記正面扉を閉じたとき、該正面扉の上枠部が上に載って重なる扉受けを突設し、前記正面扉の錠を解錠して先に開放しない限りロック状態にあることを特徴とする、請求項１に記載のペーパーリサイクルボックス。
【請求項３】
前記ガイド手段は、固定板部材と、該固定板部材に対して枢軸を支点に回動可能に連結する可動板部材を備え、該可動板部材を弾発付勢して前記固定板部材に押し当て、両板部材間に前記案内通路を形成してなることを特徴とする、請求項１又は２に記載のペーパーリサイクルボックス。
【請求項４】
前記投入口に前記連通穴と前記送給穴を対応させて一対ずつ平行に設ける一方、前記投入口にそれぞれ前記ガイド手段を付設し、それらガイド手段は、互いに前記排紙口を前記送給穴を透して前記カートン内の中心に向け突設してなることを特徴とする、請求項１、２又は３に記載のペーパーリサイクルボックス。
【請求項５】
前記カートリッジは、背面板の下側に前記カートンを押し出す押し出し口を設けてなることを特徴とする、請求項１、２、３又は４に記載のペーパーリサイクルボックス
【請求項６】
前記カートリッジは、前記押し出し口を遮蔽する押し出し板を、前記背面板の内面に前記押し出し口の上側側を支点として回動自在に取り付けてなることを特徴とする、請求項５記載のペーパーリサイクルボックス
【請求項７】
遮蔽板部と該遮蔽板部の両端から直角に屈曲して対向する両側板部とからなり、両側板部間の幅を前記カートリッジの両側面間の幅内寸に合わせてコ形に曲げ成形した前記カートンの保護部材を備え、該保護部材は、前記遮蔽板部を前記カートリッジの背面板に重ねて前記押し出し口を塞いだ状態で、底面板上にスライド自在に立てて前記カートリッジ内に配置することを特徴とする、請求項５に記載のペーパーリサイクルボックス
【請求項８】
前記カートリッジは、前記上カバーに前記連通穴を開閉するシャッタ装置を付設し、該シャッタ装置は、前記連通穴を全開する開位置と閉じる閉位置との間を前記上カバーに沿ってスライド自在にシャッタを備える一方、閉位置にスライドした該シャッタをロックし又はロックを解除する施解錠手段を前記上カバーの内側に備えることを特徴とする、請求項１、２、３、４、５、６又は７に記載のペーパーリサイクルボックス。
【請求項９】
前記カートリッジにおいて、前記施解錠手段は、ロックピンを、前記シャッタに対して常時直交する向きに弾発付勢して先端が突き当った状態で軸方向に移動自在に保持する一方、該シャッタに、それが閉位置にスライドすると前記ロックピンの先端が嵌合するロック穴を設け、前記上カバーには、該ロック穴と一致する位置に非常解錠操作用の小穴を設けてなることを特徴とする、請求項８に記載のペーパーリサイクルボックス。
【請求項１０】
前記カートリッジは、前記上カバー上の背面側と正面側に持ち運び用の取手を備えてなることを特徴とする、請求項１、２、３、４、５、７、８又は９に記載のペーパーリサイクルボックス。
【請求項１１】
前記カートリッジは、底面板にキャスタを取り付けてなることを特徴とする、請求項１、２、３、４、５、６、７、８、９又は１０に記載のペーパーリサイクルボックス。
【発明の詳細な説明】
【技術分野】
【０００１】
本発明は、不要になった機密書類をシュレッダ等で裁断することなく回収して廃棄物の溶解工場等に輸送し、再生紙として利用できるようにするリサイクルシステムに使用するのに好適なペーパーリサイクルボックスに関する。
【背景技術】
【０００２】
従来、この種のペーパーリサイクルボックスの中には、上面に機密書類の投入口を有し前面が鍵のかかる扉になっている外箱と、外箱内に収容する上面が開口したゲージと、ゲージ内に上部を開口した状態で吊り下げて収納する袋からなり、使用時、不要になった機密書類が投入口から投函されて袋が満杯になると、鍵を解錠して扉を開けてから外箱内のゲージを取り出し、鎖で袋の上部を絞って口が開かないように南京錠をかけて後、ゲージの扉を開けて機密書類入り袋をゲージから取り出し、溶解工場等へと輸送し、そこで南京錠を外して袋の口を開けて、袋の中から、回収した機密書類を取り出し、これを裁断することなく機密性も保持して廃棄し、再生紙の原料として使用できるようにするものがある（特許文献１参照）。
【先行技術文献】
【特許文献】
【０００３】
【特許文献１】特開２００１−２７０６０４号
【発明の概要】
【発明が解決しようとする課題】
【０００４】
ところが、従来のペーパーリサイクルボックスでは、使用時、（１）不要になった機密書類が投入口から投函されて袋が満杯になると、鍵を解錠して扉を開けてから外箱内のゲージを取り出し、（２）鎖で袋の上部を絞って口が開かないように南京錠をかけて後、（３）ゲージの扉を開けて機密書類入り袋をゲージから取り出し、溶解工場等へ輸送し、（４）溶解工場等で南京錠を外して袋の口を開け、（５）袋の中から回収した機密書類を取り出す、というように不要になった機密書類を回収してから廃棄するまでに、数多くの作業工程が必要になり、それだけ面倒で作業性が悪いという課題があった。加えて、不要になった機密書類で満杯の袋を取り出して回収するとき、扉を開けて外箱内から上面開口のゲージを取り出してから、鎖で袋の上部を絞って口を封止するが、その間、開いたままの袋の口から機密書類を抜き取られるスキを生じ、しかも、運送先の溶解工場等においても、廃棄する前に、南京錠を外して機密書類入り袋の口を開けて、袋の中から機密書類を取り出すことから、その間、開いたままの袋の口から機密書類を抜き取られるスキが生じる一方で、袋の中に機密書類を取り残してしまうおそれもあるため、結局、文書の機密性が十分に保持されているとは云い難く、機密書類のセキュリティに欠けるとう課題もあった。
【０００５】
そこで、本発明の目的は、ペーパーリサイクルボックスにおいて、不要な機密書類を簡単に回収し手間なく廃棄して作業性を向上させると共に、機密書類の投入から廃棄まで間、文書の機密性を保持して機密書類のセキュリティを高めることにある。
【課題を解決するための手段】
【０００６】
そこで、上述した課題を解決すべく、請求項１に記載の発明は、たとえば以下に示す図示実施の形態のとおり、上面１０が背面側を支点に開閉する上扉ａであり正面１２が一方の側面側を支点に開閉する錠付き正面扉ｂの外箱Ａと、正面３０が片方の側面側を支点に開閉する錠付き前扉ｃの箱状のカートリッジＢと、箱状のカートンＣを順に入れ子式に重ねて組み入れてなるペーパーリサイクルボックスＲであって、前記外箱Ａは、前記上扉ａに、手が入り込まない程度に幅狭で細長い投入口１４・１５を設けると共に、該投入口１４・１５から投函される機密書類Ｐを案内通路Ｓに通して先端の排紙口２５・２６から前記カートンＣ内へ落し込むガイド手段ｇ１・ｇ２を備え、前記カートリッジＢは、頂面３２の上カバー３７に前記投入口１４・１５と対応する細長い連通穴３９・４０を設け、前記カートンＣは、天面６９に前記連通穴３９・４０と対応する細長い送給穴７４・７５を設け、落ち込まれる機密書類Ｐごと前記カートリッジＢから取り出される使い捨ての箱体からなり、前記ガイド手段ｇ１・ｇ２は、前記案内通路Ｓを前記投入口１４・１５から下向きに漸次幅狭に形成して前記排紙口２５・２６を前記カートンＣ内に溜った機密書類Ｐの記録事項を視認できない程度に細く形成し、前記送給穴７４・７５に向けて突設してなることを特徴とする。
【０００７】
請求項２に記載の発明は、請求項１に記載のペーパーリサイクルボックスＲにおいて、たとえば以下に示す図示実施の形態のとおり、前記外箱Ａにおいて、前記上扉ａは、前記正面扉ｂを閉じたとき、該正面扉ｂの上枠部２１が上に載って重なる扉受け１６を突設し、前記正面扉ｂの錠１８を解錠して先に開放しない限りロック状態にあることを特徴とする。
【０００８】
請求項３に記載の発明は、請求項１又は２に記載のペーパーリサイクルボックスＲにおいて、たとえば以下に示す図示実施の形態のとおり、前記ガイド手段ｇ１・ｇ２は、固定板部材１９と、該固定板部材１９に対して枢軸２９を支点に回動可能に連結する可動板部材２０を備え、該可動板部材２０を弾発付勢して前記固定板部材１９に押し当て、両板部材１９・２０間に前記案内通路Ｓを形成してなることを特徴とする。
【０００９】
請求項４に記載の発明は、請求項１、２又は３に記載のペーパーリサイクルボックスＲにおいて、たとえば以下に示す図示実施の形態のとおり、前記投入口１４・１５に前記連通穴３９・４０と前記送給穴７４・７５を対応させて一対ずつ平行に設ける一方、前記投入口１４・１５にそれぞれ前記ガイド手段ｇ１・ｇ２を付設し、それらガイド手段ｇ１・ｇ２は、互いに前記排紙口２５・２６を前記送給穴７４・７５を透して前記カートンＣ内の中心に向け突設してなることを特徴とする。
【００１０】
請求項５に記載の発明は、請求項１、２、３又は４に記載のペーパーリサイクルボックスＲにおいて、たとえば以下に示す図示実施の形態のとおり、前記カートリッジＢは、背面板３６の下側に前記カートンＣを押し出す押し出し口３５を設けてなることを特徴とする。
【００１１】
請求項６に記載の発明は、請求項５に記載のペーパーリサイクルボックスＲにおいて、たとえば以下に示す図示実施の形態のとおり、前記カートリッジＢは、前記押し出し口３５を遮蔽する押し出し板８０を、前記背面板３６の内面に前記押し出し口35
の上側側を支点として回動自在に取り付けてなることを特徴とする。
【００１２】
請求項７に記載の発明は、請求項５に記載のペーパーリサイクルボックスＲにおいて、たとえば以下に示す図示実施の形態のとおり、遮蔽板部７７と該遮蔽板部７７の両端から直角に屈曲して対向する両側板部７８・７８とからなり、両側板部７８・７８間の幅を前記カートリッジＢの両側面間の幅内寸に合わせてコ形に曲げ成形した前記カートンＣの保護部材８５を備え、該保護部材８５は、前記遮蔽板部７７を前記カートリッジＢの背面板３６に重ねて前記押し出し口３５を塞いだ状態で、底面板６８上にスライド自在に立てて前記カートリッジＢ内に配置することを特徴とする。
【００１３】
請求項８に記載の発明は、請求項１、２、３、４、５、６又は７に記載のペーパーリサイクルボックスＲにおいて、たとえば以下に示す図示実施の形態のとおり、前記カートリッジＢは、前記上カバー３７に前記連通穴３９・４０を開閉するシャッタ装置ｓを付設し、該シャッタ装置ｓは、前記連通穴３９・４０を全開する開位置と閉じる閉位置との間を前記上カバー３７に沿ってスライド自在にシャッタ４５を備える一方、閉位置にスライドした該シャッタ４５をロックし又はロックを解除する施解錠手段５０を前記上カバー３７の内側に備えることを特徴とする。
【００１４】
請求項９に記載の発明は、請求項８に記載のペーパーリサイクルボックスＲにおいて、たとえば以下に示す図示実施の形態のとおり、前記カートリッジＢにおいて、前記施解錠手段５０は、ロックピン４９を、前記シャッタ４５に対して常時直交する向きに弾発付勢して先端４９ｂが突き当った状態で軸方向に移動自在に保持する一方、該シャッタ４５に、それが閉位置にスライドすると前記ロックピン４９の先端４９ｂが嵌合するロック穴６０を設け、前記上カバー３７には、該ロック穴６０と一致する位置に非常解錠操作用の小穴６５を設けてなることを特徴とする。
【００１５】
請求項１０に記載の発明は、請求項１、２、３、４、５、７、８又は９に記載のペーパーリサイクルボックスＲにおいて、たとえば以下に示す図示実施の形態のとおり、前記カートリッジＢは、前記上カバー３７上の背面側と正面側に持ち運び用の取手６６・６７を備えてなることを特徴とする。
【００１６】
請求項１１に記載の発明は、請求項１、２、３、４、５、６、７、８、９又は１０に記載のペーパーリサイクルボックスＲにおいて、たとえば以下に示す図示実施の形態のとおり、前記カートリッジＢは、底面板６８にキャスタ７０を取り付けてなることを特徴とする。
【発明の効果】
【００１７】
請求項１に記載の発明によれば、外箱の上扉には、機密書類を投函する投入口を手が入り込まない程度に幅狭で細長く形成するため、カートン内に溜った機密書類を投入口から抜き取ったりして機密性が脅かされることを防止することができ、また、投入口から投函される機密書類を案内通路に通して先端の排紙口からカートン内へ落し込むガイド手段を備え、そのガイド手段は、案内通路を投入口から下向きに漸次幅狭に形成して排紙口をカートン内に溜った機密書類の記録事項を視認できない程度に細く形成し、これにより、排紙機能を何ら妨げることなく、機密性を保持して不要になった機密書類を簡単に回収することができる。しかも、請求項１に記載の発明によれば、外箱とカートリッジとカートンを順に入れ子式に重ねて組み入れてなる一方、カートンは、天面に外箱の機密書類の投入口とカートリッジの連通穴に対応する細長い送給穴を設け、中に溜った機密書類ごとカートリッジから取り出される使い捨ての箱体で構成するため、カートリッジ内のカートンを取り出して廃棄するまでに、従来の如くいちいち南京錠をかけたり外したり袋の口を封止したり開封したりすることなく、そのまま機密書類の入ったカートンごと溶解炉等へ廃棄すればよく、その結果、面倒な作業工程が削減され、それだけ手間が少なくなって作業性を上げることができると共に、カートン内に入った機密書類を抜き取られるスキが生じる余地もなく、増してや、カートン内に機密書類を取り残してしまうこと自体あり得ず、その結果、機密書類の投入から廃棄まで間、機密性を保持して機密書類のセキュリティを高めることができる。
【００１８】
請求項２に記載の発明によれば、投入口を有した外箱の上扉は、閉じているときは、扉受けの上に施錠状態で閉じた正面扉の上枠部が載って重なり、正面扉を先に解錠して開けない限りロック状態にあるため、外箱の上扉を勝手に開放することにより、シャッタを開けてカートリッジの連通穴から指を入れてカートン内に溜った機密書類を抜き取ったり、連通穴とカートンの送給穴を透して機密書類の記録事項を覗き見たりすることを防止し、その結果、機密性が保持され機密書類のセキュリティを高めることができる。
【００１９】
請求項３に記載の発明によれば、機密書類の排紙時、多数枚の機密書類が束になって投入口から投函されると、紙束に押されてガイド手段の可動板部材が固定板部材に対して枢軸を中心に回動し、紙束の厚さに応じて排紙口が押し開かれるため、投函された機密書類が１枚又は数枚であっても、反対に厚い紙束であっても、同じ案内通路を通して排紙口から排出し、送給穴を通してカートン内に円滑に落し込むことができる。
【００２０】
請求項４に記載の発明によれば、機密書類の投入口と連通穴と送給穴を対応させて一対ずつ平行に設ける一方、投入口には、それぞれガイド手段を付設し、それらガイド手段は、互いに案内通路の排紙口を送給穴を透してカートン内の中心に向けて突設しているため、２列に並列した投入口から投函される機密書類が案内通路の案内でカートン内の中心に向って合流するように落し込まれ、その結果、廃棄する機密書類を片寄ることなく効率よくカートン内に溜めることができる。
【００２１】
請求項５に記載の発明によれば、カートリッジの錠を解錠して前扉を開けてから、押し出し口から露出した背面側を足で蹴るなどしてカートンを押し出すだけで、カートリッジから簡単にカートンが取り出され、そのまま開封することなく機密書類の溜ったカートンごと溶解炉等へ廃棄することができ、その結果、カートンの取り出し廃棄作業が手間なく簡単になり、それだけ作業性を向上させることができる。
【００２２】
請求項６に記載の発明によれば、常時は、押し出し板で押し出し口を塞いでカートリッジ内のカートンを保護し、押し出し口からカートンを、例えば切り裂いてカートン内に入った機密書類を抜き取られたりして機密性を脅かされることがないようにすることができる一方、カートンをカートリッジから取り出して廃棄する場合は、押し出し口から押し出し板を足等で押して回動し、カートリッジからカートンを押し出し板で簡単に押し出すことができる。
【００２３】
請求項７に記載の発明によれば、常時は、保護部材の遮蔽板部で押し出し口を塞いでカートリッジ内のカートンを保護し、押し出し口からカートンを、例えば切り裂いてカートン内から機密書類を抜き取られたりして機密性を脅かされることがないようにすることができる一方、カートンをカートリッジから取り出して廃棄するときは、押し出し口から保護部材を足等で押して底面板上をスライドさせながらカートンをカートリッジから簡単に保護部材で押し出すことができる。
【００２４】
請求項８に記載の発明によれば、カートリッジは、外箱から取り出すとき、その前にシャッタ装置のシャッタを閉位置にスライドして連通穴を遮蔽するが、そのとき、シャッタ装置は、閉位置にスライドしたシャッタを施解錠手段によりロックして連通穴が開放されないように施錠するため、無断にシャッタを開けて連通穴から送給穴を通して指を入れてカートン内に溜った機密書類を抜き取ったり、連通穴から送給穴を透して機密書類の記録事項を覗き見たりすることを防止し、その結果、機密性を保持して機密書類のセキュリティを高めることができる。
【００２５】
請求項９に記載の発明によれば、カートリッジは、外箱から取り出すとき、その前にシャッタ装置のシャッタを閉方向にスライドして連通穴を遮蔽するが、そのとき、シャッタ装置は、シャッタを閉方向に押してスライドさせると、施解錠手段のロックピンが先端をロック穴に嵌合してシャッタを閉位置にロックし、連通穴が開放されないように施錠するため、無断にシャッタを開けて連通穴から送給穴を通して指を入れてカートン内に溜った機密書類を抜き取ったり、連通穴から送給穴を透して機密書類の記録事項を覗き見たりすることを防止し、その結果、機密性を保持して機密書類のセキュリティを高めることができる。加えて、例えばカートリッジに大きな振動等の衝撃が加わり、開位置にあるシャッタが閉方向にズレ動いてロック穴にロックピンが誤って嵌合し、シャッタが閉位置にロックされてしまったときに、カートリッジの前扉をあける鍵を所持していない場合であっても、適宜の軸状部材を使い、その軸状部材を上カバーにあいた非常解錠用の小穴に挿入してロックピンを付勢ばねに抗して押し下げることにより、ロックピンの先端をロック穴から外して簡単にロックを解除することができる。
【００２６】
請求項１０に記載の発明によれば、階段など、カートリッジを押して移送することができない場所でも、背面側と正面側の両方の取手を握って持ち上げることにより、比較的簡単に搬送することができる。
【００２７】
請求項１１に記載の発明によれば、通常、カートリッジを押して移送するときは、床等の上をキャスタが転動するので、カートリッジを簡単に移動させることができる。とり分け、カートリッジを機密書類で満杯のカートンごと取り出すとき、このように機密書類で満杯の重たいカートンを収納したカートリッジを、底面板上をキャスタを転動させながら外箱内から取り出すので、カートリッジの取り出しが簡単になり、それだけ作業性を上げることができる。
【図面の簡単な説明】
【００２８】
【図１】本発明の一例であるペーパーリサイクルボックスを外箱からカートリッジとカートンを取り出して示す分解斜視図である。
【図２】外箱の外観斜視図である。
【図３】ペーパーリサイクルボックスを、外箱の上扉と正面扉を開けて示す斜視図である。
【図４】カートリッジの組み入れ状態においてペーパーリサイクルボックスの内部構造を示す縦断面図である。
【図５】（Ａ）カートリッジのガイド手段を可動板部材の閉状態で示す斜視図、（Ｂ）同ガイド手段を可動板部材の押し開き状態で示す斜視図である。
【図６】図４とは向きを変えて同リサイクルボックスの内部構造を示す縦断面図である。
【図７】カートリッジの外観斜視図である。
【図８】（Ａ）カートリッジのシャッタ装置をシャッタの開状態で示す斜視図、（Ｂ）同シャッタ装置をシャッタの半開状態で示す斜視図、（Ｃ）同シャッタ装置をシャッタの閉状態で示す斜視図である。
【図９】（Ａ）他例のペーパーリサイクルボックスを外箱の正面扉を開けて示す斜視図、（Ｂ）同リサイクルボックスを、押し出し板を押してカートリッジからカートンを蹴り出す状態を示す斜視図である。
【図１０】（Ａ）更に他例のペーパーリサイクルボックスを外箱の正面扉を開けて示す斜視図、（Ｂ）同リサイクルボックスを、保護部材を押してカートリッジからカートンを蹴り出す状態を示す斜視図である。
【発明を実施するための形態】
【００２９】
以下、図面を参照しつつ、本発明を実施するための形態について説明する。
【００３０】
図１は本発明の一例であるペーパーリサイクルボックスを外箱からカートリッジとカートンを取り出して示す分解斜視図、図２は外箱の外観斜視図、図３は同リサイクルボックスを外箱の上扉と正面扉を開けて示す斜視図、図４はカートリッジの組み入れ状態において同リサイクルボックスの内部構造を示す縦断面図である。図示例のペーパーリサイクルボックスＲは、いずれも直方体をなす外箱ＡとカートリッジＢとカートンＣを順に入れ子式に３層に重ねて組み入れてなる。
【００３１】
図示例の外箱Ａは、金属製で、上面１０が背面板１１の上端にヒンジを介して連結して開閉自在な上扉ａであり、正面１２が一方の側面板１３の側縁にヒンジを介して連結して開閉自在な正面扉ｂである、高さが一般の事務机程度（例えば950mm）の箱体からなる。上扉ａは、後述するカートリッジＢの連通穴３９・４０とカートンＣの送給穴７４・７５と対応する一対の投入口１４・１５を設け、投入口１４・１５の内側に、それぞれ投函される機密書類を下方のカートンＣ内へ案内するガイド手段ｇ１・ｇ２を付設し、扉先側の端部下縁に扉受け１６を鍔状に突設している。投入口１４・１５は、手が入り込まない程度に幅狭で細長い穴で、互いに平行に設けてなる。
【００３２】
正面扉ｂには、図２および図４に示すように表示体１７を取り付ける。表示体１７は、正面扉ｂの外面中央に接着したコ形の取付レール１７ａと、硬質樹脂製の透明カードケース１７ｂ（例えばA2サイズ）とからなり、使用時、適宜情報を記録したポスター等のシート材を入れたカードケース１７ｂを、取付レール１７ａの内側に有する差込溝に差し込んで取付レール１７ａに装着する。更に、正面扉ｂは、扉先側において、一般事務机の錠と同じ高さ位置（例えば660mm）に錠１８を付設して施解錠可能になっている。従って、外箱Ａは、上扉ａを閉じてから、正面扉ｂを閉じて錠１８に鍵をかけると、正面扉ｂの上枠部２１が扉受け１６の上に載って重なるため、上扉ａは、正面扉ｂを解錠して開けない限りロックされる構成になっている。
【００３３】
ガイド手段ｇ１・ｇ２は、図４および図５に示すように、それぞれ金属製の固定板部材１９と固定板部材１９に押し当てる可動板部材２０とを備え、両板部材１９・２０間に投入口１４・１５から投函される機密書類Ｐを案内する案内通路Ｓを形成する。固定板部材１９は、金属板の両側を直角に屈曲させて、投入口１４・１５に対応する長さの矩形なガイド板部１９ａの両端にカバー板部１９ｂを形成する。カバー板部１９ｂは、それぞれ側縁２２の基端側を切り欠いてばね掛け凹部２３と取付凸部２４を並設し、この基端側から先端側に向けて漸次幅狭になるように側縁２２に勾配を付けて形成し、先端縁に最も幅狭なスペーサ部１９ｃが形成されてなる。可動板部材２０は、それぞれ投入口１４・１５に対応する長さの矩形板を、固定板部材１９の側縁２２の形状に合わせて２つ折りに屈曲し、一方の折片２０ａに直角に屈曲したヒンジ部２０ｂを突設してなる。
【００３４】
そこで、ガイド手段ｇ１・ｇ２は、固定板部材１９を、基端縁を投入口１４・１５の隣合う側の開口縁に取り付けて背中合せに垂下した状態で、上扉ａの内面に固着する一方、固定板部材１９の取付凸部２４にヒンジ２０ｂを重ねて枢軸２６で可動板部材２０を固定板部材１９に対して回動可能に連結すると共に、枢軸２６には、ねじりばね２７を巻装してばね一端２７ａを固定板部材１９のばね掛け凹部２３に掛け、他端２７ｂを可動板部材２０の基端縁に掛けて常時ばね付勢し、可動板部材２０の他方折片２０ｃを固定板部材１９のガイド板部１９ａの側縁２２に押し当てて組み立てる。すると、ガイド手段ｇ１・ｇ２は、固定板部材１９のスペーサ部１９ｃと可動板部材２０の他方折片２０ｃの先端間に、投入口１４・１５と連通した排紙口２５・２６を開け、それら排紙口２５・２６をカートンＣの送給穴７４・７５に向けた垂下状態で、それぞれ上扉ａの内面に組み付けられる。従って、ガイド手段ｇ１・ｇ２は、それぞれ投入口１４・１５と排紙口２５・２６との間に、投入口１４・１５から下向きに漸次幅狭な案内通路Ｓを形成し、外箱ＡにカートンＣを入れたカートリッジＢを収納した状態のとき、排紙口２５・２６を、送給穴７４・７５を透してカートンＣ内の中心に向けて突設する。排紙口２５・２６は、開口幅を、固定板部材１９のスペーサ部１９ｃの突出長さに応じて設定され、カートンＣ内に溜った機密書類の記録事項を視認できない一方、数枚の機密書類Ｐが通過する程度、例えば５ｍｍ程度に細く形成する。
【００３５】
図示例のカートリッジＢは、金属製で、図１および図７に示すように、正面３０が片方の側面板３１の側縁にヒンジを介して連結して開閉自在の前扉ｃで、頂面３２が側面板３１・３４と背面板３６の上端に固定した上カバー３７からなる箱体で、横幅と奥行が外箱Ａの内寸と略同じで、高さを外箱Ａより一段低く形成してなる。前扉ｃは、扉先側に錠３８を付設して施解錠可能になっている。背面板３６には、下部側にカートンＣを押し出す押し出し口３５を設けている。
【００３６】
上カバー３７は、外箱Ａの投入口１４・１５と対応する細長い一対の連通穴３９・４０を設けている。連通穴３９・４０は、投入口１４・１５と同様、手が入り込まない程度に幅狭で細長い穴で、互いに平行に開いている。カートリッジＢは、この上カバー３７に連通穴３９・４０を開閉するシャッタ装置ｓを付設している。
【００３７】
シャッタ装置ｓは、図８に示すように、シャッタ４５と、シャッタ４５を案内するガイド板４６と、シャッタ４５の施解錠手段５０を備え、上カバー３７には、連通穴３９・４０のそれぞれ片側の開口縁に直角に曲げ起した戸当り３７ａ・３７ａを立設してなる。
【００３８】
シャッタ４５は、矩形な金属板に連通穴３９・４０に合わせて一対の細長い開口４１・４２を開け、それぞれ上カバー３７の戸当り３７ａ・３７ａとは反対の他側の開口縁に直角に曲げ起した取手部４５ａ・４５ａを立設している。ガイド板４６は、矩形な金属板に連通穴３９・４０に合わせて一対の細長い逃げ穴４３・４４を開け、奥行方向両端に断面Ｌ状に屈曲した取付部４６ａ・４６ａを設けてなる。
【００３９】
施解錠手段５０は、連通穴３９・４０を全閉した閉位置にあるシャッタ４５をロックするロック具５５を備える。ロック具５５は、軸部４９ａがその先端４９ｂと頭部４９ｃとの間を一段細径にした段付きのロックピン４９と、中心に軸穴５３が貫通した円筒型のピンホルダ５１と、コイルばねの付勢ばね５２を備える。ピンホルダ５１の軸穴５３は、一側の穴開口が小径な段付き穴で形成されている。そこで、ロック具５５は、ロックピン４９の軸部４９ａをピンホルダ５１の軸穴５３に軸方向に移動可能に挿入する一方、そのロックピン４９の軸部４９ａに付勢ばね５２を巻装してピンホルダ５１側の穴段部とロックピン４９側の軸段部との間に挟んで内装し、ロックピン４９を、先端が軸穴５３から突出する方向に常時弾発付勢し、頭部４９ｃをピンホルダ５１の端面に当てて組み立ててなる。
【００４０】
そこで、シャッタ装置ｓは、上カバー３７の天板部３７ｂの内面に、連通穴３９・４０に逃げ穴４３・４４を合わせて取付部４６ａを接着し、天板部３７ｂとの間に間隔をあけてガイド板４６を取り付け、このガイド板４６上には、連通穴３９・４０に取手部４５ａ・４５ａを係合させた状態で、シャッタ４５を載せてスライド自在に配設する。一方、ガイド板４６には、図８（Ａ）に示すように、連通穴３９・４０を全開して取手部４５ａ・４５ａが連通穴３９・４０の穴縁に当たる開位置にあるとき、又は図８（Ｃ）に示すように、連通穴３９・４０を閉じて取手部４５ａ・４５ａが戸当り３７ａ・３７ａに当たる閉位置にあるときロックピン４９の先端が嵌合する挿通穴５８を穿設している。シャッタ４５には、図８（Ａ）に示すように、連通穴３９・４０を開けて取手部４５ａ・４５ａが連通穴３９・４０の穴縁に当たる開位置にあるとき、中心位置にロックピン４９の先端が係止する位置決め穴５９を穿設している。位置決め穴５９は、穴径がロックピン４９の軸部４９ａの先端が貫挿しないように、その先端より若干小径になっている。更に、シャッタ４５には、図８（Ｃ）に示すように、連通穴３９・４０を閉じて取手部４５ａ・４５ａが戸当り３７ａ・３７ａに当たる閉位置にあるとき、位置決め穴５９の位置より連通穴３９・４０の穴幅分だけスライドして開く方向に離隔した位置に、ロックピン４９の先端４９ｂが嵌合するロック穴６０を穿設している。他方、上カバー３７の天板部３７ｂには、シャッタ４５が閉位置にあるとき、ロック穴６０と一致する連通位置に、目立たないように非常解錠操作用の小穴６５を穿設している。
【００４１】
ロック具５５は、ピンホルダ５１の軸穴５３をシャッタ４５が開位置又は閉位置にあるときに位置決め穴５９又はロック穴６０と一致する挿通穴５８に合わせ、該挿通穴５８にロックピン４９の先端を係合させた状態で、ピンホルダ５１をガイド板４６の下面に固定し、ロックピン４９を、付勢ばね５２でシャッタ４５に対して常時直交する上向きに弾発付勢し、図８（Ｂ）に示すように、シャッタ４５が開位置又は閉位置にスライドする途中の半開き状態では、先端４９ｂが突き当った状態で軸方向に移動自在に保持する。従って、シャッタ装置ｓは、同図（Ａ）に示すように、シャッタ４５が全開した開位置にあるときは、ロックピン４９の先端４９ｂが位置決め穴５９に係止してシャッタ４５を開位置からズレ動かないように位置決め保持する。他方、同図（Ｂ）に示すように、シャッタ４５が全閉した閉位置にあるときは、ロックピン４９の先端４９ｂがロック穴６０に嵌合してシャッタ４５を閉位置にロックするようになっている。一方、シャッタ４５のロックを解除する場合は、ロック具５５のロックピン４９を、頭部４９ｃを摘んで付勢ばね５２に抗して引き下げ、先端４９ｂをロック穴６０から外すようになっている。
【００４２】
カートリッジＢにおいて、上カバー３７の天板部３７ｂ上には、図１および図７に示すように、背面板３６側と前扉ｃ側に持ち運び用の取手６６・６７を付設している。背面板３６側の取手６６は、両手で握持可能な長さのバーハンドルからなり、前扉ｃ側の取手６７は、片手で握持可能な短いバーハンドルからなる。一方、底面板６８には、キャスタ７０を回転自在に軸着している。そこで、カートリッジＢは、前扉ｃを開けて空のカートンＣを中に収納し、シャッタ４５を開方向にスライドして連通穴３９・４０を開状態にしたてから、前扉ｃを閉めて施錠した後にキャスタ７０を転動しながら外箱Ａ内に収納される。
【００４３】
図示例のカートンＣは、図１に示すように、幅寸法と奥行寸法がカートリッジＢの内寸と略同じ大きさの段ボール製の使い捨ての箱体で、天面６９にカートリッジＢの連通穴３９・４０と対応する細長い送給穴７４・７５を設けている。送給穴７４・７５は、投入口１４・１５、連通穴３９・４０と同様、手が入り込まない程度に幅狭で細長い穴で、互いに平行に開いている。
【００４４】
そこで、ペーパーリサイクルボックスＲは、正面扉ｂを開けて、空のカートンＣが入ったカートリッジＢを外箱Ａ内に収納し、正面扉ｂを閉めて錠１８に、例えば運送会社が管理する鍵をかけてオフィスや店舗内の身近な場所に設置する。
【００４５】
さて次に、例えば運送会社による機密書類のリサイクルシステムにおいて、上述した構成のペーパーリサイクルボックスＲを使用して機密書類を回収し、廃棄物の溶解工場に輸送し、再生紙としてリサイクルするために廃棄するまでの同リサイクルボックスＲの使用方法について説明する。
【００４６】
まず、ペーパーリサイクルボックスＲには、不要になった機密書類を投入口１４・１５から投函する。機密書類Ｐは、投函されると、図５（Ａ）に示すように、投入口１４・１５からガイド手段ｇ１・ｇ２の案内通路Ｓを通って落下して排紙口２５・２６から排出され、送給穴７４・７５を通してカートンＣ内に落ち込んで、溜っていく。
【００４７】
この機密書類Ｐの排紙時、ペーパーリサイクルボックスＲは、図５（Ｂ）に示すように、多数枚の機密書類Ｐが束になって投入口１４・１５から投函されると、紙束に押されてガイド手段ｇ１・ｇ２の可動板部材２０が固定板部材１９に対して枢軸２６を中心に図中時計方向に回動し、紙束の厚さに応じて排紙口２５・２６を押し開かれるため、投函された機密書類Ｐが１枚又は数枚であっても、反対に厚い紙束であっても、同じ案内通路Ｓを通して排紙口２５・２６から排出し、送給穴７４・７５を通してカートンＣ内に円滑に落し込むことができる。他方、ガイド手段ｇ１・ｇ２の排紙口２５・２６は、開口幅が固定板部材１９のスペーサ部１９ｃの長さ応じて設定し、カートンＣ内に溜った機密書類Ｐの記録事項を視認し得ない一方、機密書類Ｐが通過し得る程度に幅狭に形成するため、排紙機能を妨げることなく、機密性を保持して機密書類のセキュリティを高めることができる。
【００４８】
しかも、ペーパーリサイクルボックスＲは、機密書類Ｐの投入口１４・１５と連通穴３９・４０と送給穴７４・７５を対応させて一対ずつ平行に設ける一方、投入口１４・１５には、それぞれガイド手段ｇ１・ｇ２を付設し、それらガイド手段ｇ１・ｇ２は、互いに案内通路Ｓの排紙口２５・２６を、送給穴７４・７５を透してカートンＣ内の中心に向けて突設しているため、２列に並列した投入口１４・１５から投函される機密書類Ｐが案内通路Ｓの案内でカートンＣ内の中心に向って合流するように落し込まれ、その結果、廃棄する機密書類Ｐを片寄ることなく効率よくカートンＣ内に溜めることができる。
【００４９】
それから、経時、例えば投入口１４・１５からライトを照らし、排紙口２５・２６を透してカートンＣ内の機密書類の溜り具合を確認し、カートンＣが機密書類Ｐで満杯になったとき又は所定の回収時期に至ったとき、図３に示すように、錠１８を解錠して正面扉ｂを開けてから上扉ａを開放し、カートリッジＢを取り出す前に、シャッタ装置ｓのシャッタ４５を閉方向にスライドして連通穴３９・４０を遮蔽する。そのとき、シャッタ装置ｓは、図８（Ａ）に示すように、ロックピン４９の先端４９ｂが位置決め穴５９に係止して開位置に位置決めたシャッタ４５を、同図（Ｂ）に示すように、取手部４５ａを持って閉方向に押してスライドさせると、同図（Ｃ）に示すように、ロック具５５のロックピン４９が先端４９ｂをロック穴６０に嵌合してシャッタ４５を閉位置にロックし、連通穴３９・４０を開放されないように施錠するため、無断にシャッタ４５を開けて連通穴３９・４０から指を入れてカートンＣ内に溜った機密書類Ｐを抜き取ったり、連通穴３９・４０から送給穴７４・７５を透して機密書類Ｐの記録事項を覗き見たりすることを防止し、その結果、機密性を保持して機密書類のセキュリティを高めることができる。
【００５０】
なお、シャッタ４５のロックを解除してシャッタ４５を開ける場合は、カートリッジＢの正面扉ｂを解錠して開けてから、ロック具５５のロックピン４９を、頭部４９ｃを摘んで付勢ばね５２に抗し引き下げ、軸部４９ａの先端４９ｂをロック穴６０から外せばよい。
【００５１】
従って、投入口１４・１５を有した外箱Ａの上扉ａは、閉じているときは、図１・図３に示す扉受け１６の上に施錠状態で閉じた正面扉ｂの上枠部２１が載って重なり、正面扉ｂを先に解錠して開けない限りロック状態にあるため、外箱Ａの上扉ａを勝手に開放することにより、シャッタ４５を開けてカートリッジＢの連通穴３９・４０から指を入れてカートンＣ内に溜った機密書類Ｐを抜き取ったり、連通穴３９・４０とカートンＣの送給穴７４・７５を透して機密書類Ｐの記録事項を覗き見たりすることを防止し、その結果、機密性が保持され機密書類のセキュリティを高めることができる。
【００５２】
そこで、図示リサイクルボックスＲでは、外箱Ａの正面扉ｂを解錠して先に開けてから上扉ａを開けて、シャッタ４５を閉位置にスライドして連通穴３９・４０をシャッタ４５で遮蔽してから、カートリッジＢを、機密書類Ｐで満杯のカートンＣごと外箱Ａ内から取り出す。そのとき、機密書類Ｐで満杯の重たいカートンＣを収納したカートリッジＢを、底面板３３上をキャスタ７０を転動させながら外箱Ａ内から取り出すので、カートリッジＢの取り出しが簡単になり、それだけ作業性を上げることができる。
【００５３】
次いで、上述のように外箱Ａから取り出したカートリッジＢを各設置場所から回収し、トラック等の輸送車に積み込んで溶解工場へと輸送する。カートリッジＢは、通常、移送するときは、背面板３６側の取手６６を両手で持って押しながら、キャスタ７０を回転して搬送すればよく、比較的容易である一方、階段などキャスタ７０を回転して移送できない場所でも、両方の取手６６・６７を握って持ち上げることにより、比較的簡単に搬送することができる。
【００５４】
しかる後、溶解工場に輸送したカートリッジＢは、錠３８を解錠して前扉ｃを開けてから、押し出し口３５から露出した背面側を足で蹴るなどしてカートンＣをカートリッジＢから押し出す。そして、カートンＣの送給口７４・７５をガムテープ等で塞いで機密性を保持してから、開封することなく機密書類Ｐの入ったカートンＣごと溶解炉等へ廃棄し、再生紙の原料として使用できるように溶解処理する。他方、カートンＣを廃棄して空になったカートリッジＢは、新しい空のカートンＣを収納し、前扉ｃを閉めて錠３８に鍵をかけてから、トラック等の輸送車に積み込んで溶解工場から元のオフィス等へ戻し、それぞれ帰還先で外箱Ａ内に収納し、改めてペーパーリサイクルボックスＲとして所定の場所に設置して機密書類の回収に備える。
【００５５】
なお、例えば新しく空のカートンＣを収納したカートリッジＢは、トラック等の輸送車に積み込んで帰還する際に、使用可能状態で元の設置場所に設置できるように、溶解工場にて、予め前扉ｃを施錠する一方、図８（Ａ）に示すように、上カバー３７のシャッタ４５を開けた開位置にロックピン４９の先端４９ｂを位置決め穴５９に係止して位置決め保持される。しかし、帰還途中にカートリッジＢに大きな振動等の衝撃が加わったりすると、シャッタ４５がズレ動いてロックピン４９が位置決め穴５９から外れてロック穴６０に嵌合し、同図（Ｃ）に示すように、シャッタ４５が連通穴３９・４０を全閉した閉位置に誤ってロックされるおそれがある。そのとき、前扉ｃをあける鍵を所持していない場合は、適宜の軸部材を用い、その軸部材を上カバー３７にあいた非常解錠用の小穴６５に挿入してロックピン４９を付勢ばね５２に抗して押し下げることにより、先端４９ｂをロック穴６０から外してロックを簡単に解除することができる。
【００５６】
以上の如くペーパーリサイクルボックスＲは、図１に示すように、外箱ＡとカートリッジＢとカートンＣを順に入れ子式に重ねて組み入れてなる一方、カートンＣは、天面６９に機密書類Ｐの投入口１４・１５と連通穴３９・４０に対応する細長い送給穴７４・７５を設け、中に溜められた機密書類ごとカートリッジＢから取り出される使い捨て箱体で構成するため、カートリッジＢ内のカートンＣを取り出して廃棄するまでに、従来の如くいちいち南京錠をかけたり外したり袋の口を封止したり開封したりすることなく、そのまま機密書類Ｐの入ったカートンＣごと溶解炉等へ廃棄せればよく、その結果、面倒な作業工程が削減され、それだけ手間が少なくなって作業性を向上させることができると同時に、カートンＣ内に入った機密書類Ｐを抜き取られるスキが生じる余地もなく、増してや、カートンＣ内に機密書類Ｐを取り残してしまうこと自体あり得ず、その結果、機密性を保持して機密書類のセキュリティを高めることができる。
【００５７】
ところで、上述した図示実施の形態では、カートリッジＢの背面板３６に、下部側にカートンＣを押し出す押し出し口３５を設けた例を示したが、それでは、カートンＣの背面側が押し出し口３５から一部露出するため、押し出し口３５からカートンＣを、例えばカッター等を使って切り裂き、カートンＣ内に入った機密書類Ｐを抜き取られるなど、文書の機密性を脅かされるおそれがある。
【００５８】
そこで、本発明では、例えば図９（Ａ）に示すように、カートリッジＢにおいて、背面板３６の内面に押し出し口３５を遮蔽する矩形な金属板の押し出し板８０を設け、押し出し口３５の開口縁上側にヒンジ７９を介して回動自在に取り付ける構成にすることが好ましい。
【００５９】
図示他例では、常時は、押し出し板８０で押し出し口３５を塞いでカートリッジＢ内のカートンＣを保護し、押し出し口３５からカートンＣを、例えば切り裂いてカートンＣ内に入った機密書類Ｐを抜き取られたりして機密性を脅かされることがないようにする一方、図９（Ｂ）に示すように、カートンＣをカートリッジＢから取り出して廃棄する場合は、押し出し口３５から押し出し板８０をカートンＣ側に足等で押して回動し、カートリッジＢからカートンＣを押し出し板８０で簡単に押し出すことができる。
【００６０】
本発明では、上記押し出し板８０を使ったカートン押し出し機構に代えて、図１０に示すような構成の保護部材８５を用いることもできる。
【００６１】
図示他例において、保護部材８５は、金属板を折り曲げ、図１０（Ａ）に示すように、遮蔽板部７７と遮蔽板部７７の両端から直角に屈曲して対向する両側板部７８・７８とからなり、両側板部７８・７８間の幅をカートリッジＢの両側面板３１・３４間の幅内寸に合わせてコ形に曲げ成形してなる。そこで、保護部材８５は、遮蔽板部７７をカートリッジＢの背面板３６に重ねて押し出し口３５を塞いだ状態で、底面板６８上にスライド自在に立ててカートリッジＢ内に配置する。
【００６２】
図示他例では、常時は、保護部材８５の遮蔽板部７７で押し出し口３５を塞いでカートリッジＢ内のカートンＣを保護し、押し出し口３５からカートンＣを、例えば切り裂いてカートンＣ内の機密書類Ｐを抜き取られたりして機密性を脅かされることがないようにする一方、図１０（Ｂ）に示すように、カートンＣをカートリッジＢから取り出して廃棄する場合は、押し出し口３５から保護部材８５をカートンＣ側に足等で押して底面板６８上をスライドさせながら、カートンＣをカートリッジＢから簡単に保護部材８５で押し出すことができる。
【符号の説明】
【００６３】
Ａ              外箱
Ｂ              カートリッジ
Ｃ              カートン
Ｐ              機密書類
Ｒ              ペーパーリサイクルボックス
Ｓ              案内通路
ａ              上扉
ｂ              正面扉
ｃ              前扉
ｇ１・ｇ２      ガイド手段
ｓ              シャッタ装置
１４・１５      投入口
１６            扉受け
１９            固定板部材
２０            可動板部材
２５・２６      排紙口
３５            押し出し口
３９・４０      連通穴
４５            シャッタ
４９            ロックピン
５０            施解錠手段
５１            ピンホルダ
５２            付勢ばね
５５            ロック具
６０            ロック穴
６５            非常解錠用小穴
７０            キャスタ
７４・７５      送給穴
８０            押し出し板
８５            保護部材
【図１】
2012162347.tif 000003
【図２】
2012162347.tif 000004
【図３】
2012162347.tif 000005
【図４】
2012162347.tif 000006
【図５】
2012162347.tif 000007
【図６】
2012162347.tif 000008
【図７】
2012162347.tif 000009
【図８】
2012162347.tif 000010
【図９】
2012162347.tif 000011
【図１０】
2012162347.tif 000012